(57)【特許請求の範囲】
【請求項１】
フロア板と、これを支える複数の脚とからなり、プール内に沈められたとき、このプール内に前記フロア板による水深の浅い部分を形成するためのプールフロアであって、
前記各脚を、前記フロア板裏面またはこれに固定される脚台に取り付けられることになる脚板と、この脚板に一端が取り付けられて折り畳まれる折り畳み材と、この折り畳み材の他端に連結されて、前記フロア板裏面またはこれに固定される脚台側に取り付けられることになる引出脚板とにより構成するとともに、
前記フロア板裏面またはこれに固定される脚台にスライド溝を形成し、このスライド溝に係合するスライド係合部を前記引出脚板に一体に形成して、
前記引出脚板がフロア板裏面またはこれに固定される脚台に対してスライドしながら開閉することを特徴とするプールフロア。
【請求項２】
前記脚板を、前記フロア板裏面またはこれに固定される脚台に回動可能に軸支したことを特徴とする請求項１に記載のプールフロア。
【請求項３】
前記折り畳み材を一枚とし、その両端部を前記脚板及び引出脚板の先端に回動自在に連結したことを特徴とする請求項１または請求項２に記載のプールフロア。
【請求項４】
前記折り畳み材を二枚とし、その各両端部を前記脚板及び引出脚板の側部に回動自在に連結して、前記脚板または引出脚板の先端が前記プール内の床面に当接するようにしたことを特徴とする請求項１または請求項２に記載のプールフロア。
【請求項５】
前記脚板または引出脚板の先端側に略四角形状の形状維持材を回動自在に設け、前記各脚が箱型に展開されたとき、前記形状維持材を回動させて、その各辺に前記脚板、展開された折り畳み材、及び引出脚板の内面を当接させることにより、前記脚の展開時における箱型形状を維持し得るようにしたことを特徴とする請求項１〜請求項４のいずれかに記載のプールフロア。
【発明の詳細な説明】
【技術分野】
【０００１】
本発明は、フロア板に複数の脚を取付けたプールフロアに関し、これをプール内に沈めてフロア板によって水深の浅い部分をプール内に形成するためのプールフロアに関するものである。
【背景技術】
【０００２】
この種のプールフロアについては種々なものが既に提案されてきており、出願人も、特許文献１等によって提案を行ってきている。この特許文献１にて提案しているプールフロアも、フロア板に複数の脚を取付けたものであり、かつ、各脚に高さ調整を行うための補助脚部を選択的に嵌合自在にして、プールの深さを種々なものにできるという効果を有したものである。
【０００３】
ところが、この種のプールフロアを使用しない場合、これらをどこかに積み上げておくことになると思われるが、各脚が固定的かつ突出したものとなっているためスペースをとるものとなっている。
【０００４】
このため、特許文献２で提案されているように、脚そのものを折り畳み自在にすることがなされるようになってきている。
【特許文献１】実公平１−３７０５９号公報、実用新案登録請求の範囲
【特許文献２】特開平１１−１０１０１３号公報、要約、図３
【発明の開示】
【発明が解決しようとする課題】
【０００５】
特許文献２の脚体４は、図１９からも理解できるように、Ｖ字状に折曲されて、その折曲部分に重力が集中して掛かることになるのであるから、図１９の上端である折曲部分が破損し易いと考えられる。
【０００６】
また、この特許文献２に記載された発明は、「プールの水深を浅くするためにプールの底に設置するプール用床を不使用時には小さく折り畳む事ができるように構成する」ことを目的としてなされたもので、図１９に示すように、「床板１を支持する脚体４を、複数の脚材７、８を連結材９を介して開閉自在に連結し、一側の脚材７を脚台６に軸止し、脚台６に係合受体１１を取付け、他側の脚材８を該係合受体１１に着脱可能に係止可能とした」ものであり、「脚材７、８をＶ字状折曲し、脚材８を該係合受体１１に係合させば脚体４を組み立てることができる一方、前記係合受体１１との係合を外し、脚材７、８を互いに重なるように折り畳み、脚台６の脚材収納部１４に収納すれば、脚体４を小さく平らに折り畳むことができる」といった効果が得られるものと考えられる。
【０００７】
この特許文献２に記載されている「脚体４」は、図１９に示したように、脚材７及び８によってＶ字状に折曲されるものであり、「連結材９」部分がプールの床面に接触するものとなって、各脚体４がプール床面上に線接触することになるのものである。なお、図１９では、図示上側がプール床面となるものであり、図示された脚体４は上下逆にした状態で使用されるものである。
【０００８】
この特許文献２に記載された脚体４では、それぞれがプール床面に「線接触」するものであり、しかもその線方向が同一方向であるから、摩擦力が小さくならざるを得ず、プール内で移動し易いものとなっていると考えられる。つまり、この種のプールフロアは、プール内に沈めて使用するものであるため、その体積分の浮力が発生しているとともに、プール内では遊泳者の動きによって波が発生して水面下の水も揺れているだけでななく、プール内での競技や遊泳内容によっては異なる方向の水流が発生しているのであるから、水中ではない通常の床面に置いたときとは較べものにならない程動き易くなっているものである。
【０００９】
このため、水中であるプール床面と各脚体４とが単に線接触しているだけだと、配置した位置からズレ易くなり、それによってできた各フロア板間の隙間に脚をとられたり挟まれたりしないとは限らない。また、線接触による摩擦抵抗は、この線に水流が直交しているときには十分強いが、平行な方向に対しては弱いものであるため、脚体にその線接触方向と平行な水流が当たった場合、当該特許文献２の脚体はプール床面に対して簡単にズレて、摩耗し易くなるだけでなく、破損し易いものとなっていると考えられる。
【００１０】
さらに、この特許文献２の脚体４は、脚材を係合受体に着脱可能に係止しているため、プール内の水流や外で持ち運びしているときの衝撃によって外れ易いと考えられる。勿論、この特許文献２の脚体４は、他の部分に対して別体となっているから、外した後に紛失する可能性もある。
【００１１】
そして、この特許文献２の脚体４は、「脚材７、８をＶ字状折曲し、脚材８を係合受体１１に係合させれば組み立てることができる」ものであるが、その操作は、一個一個の脚体４について人が両手で行わなければならないと考えられる。そうなると、このプールフロアの各脚体４の組み立て、及び折り畳みについては、相当手間と時間が掛かると考えられる。換言すれば、特許文献２に記載されたプールフロアの各脚体４は、折り畳んで平らにすることができて便利ではあるが、それには相当面倒な作業が伴うものと考えられる。
【００１２】
以上のことをまとめてみると、この種のプールフロアについては、次の諸点の改良が望まれている。
【００１３】
（１）各脚の折り畳みや展開操作はできるだけ簡単に行えるようにして、プール内への設置や不使用時の収納・積み重ねが円滑に行えるようにすること。
【００１４】
（２）各脚は、使用時にしっかりとプール床面上に着いた状態となるようにして、プール内では簡単に位置ズレしないようにすること。
【００１５】
（３）プール内から引き上げる時のことを考慮して、水切りをよくすること。
【００１６】
（４）プールの脇からプール内に入れるときに手で持ちやすく、プール床面上に置くときは手を挟んだりしないようにできること。
【００１７】
すなわち、本発明の目的とするところは、各脚の展開や折り畳みを簡単に行うことができて、使用時にはプール床面上に置いただけでも位置ズレしないようにしっかりと支持することができ、さらに沈めるときの水の浸入とプールから取り出すときの水切りを短時間で行えるプールフロアを簡単な構成によって提供することである。
【課題を解決するための手段】
【００１８】
以上の課題を解決するために、まず請求項１に係る発明の採った手段は、後述する最良形態の説明中において使用する符号を付して説明すると、
「フロア板１０と、これを支える複数の脚２００とからなり、プール内に沈められたとき、このプール内にフロア板１０による水深の浅い部分を形成するためのプールフロア１００であって、
各脚２００を、フロア板１０裏面またはこれに固定される脚台２０に取り付けられることになる脚板３０と、この脚板３０に一端が取り付けられて折り畳まれる折り畳み材４０と、この折り畳み材４０の他端に連結されて、フロア板１０裏面またはこれに固定される脚台２０側に取り付けられることになる引出脚板５０とにより構成するとともに、
フロア板１０裏面またはこれに固定される脚台２０にスライド溝２５を形成し、このスライド溝２５に係合するスライド係合部５２を引出脚板５０に一体に形成して、
引出脚板５０がフロア板１０裏面またはこれに固定される脚台２０に対してスライドしながら開閉することを特徴とするプールフロア１００」
である。
【００１９】
すなわち、この請求項１に係るプールフロア１００は、図１〜図３に示すように、平らなフロア板１０の下面に複数（後述する最良形態では合計６脚）の脚２００を設けるという基本構成を有したものであり、かつ、各脚２００は、図４に示すように、フロア板１０裏面またはこれに固定される脚台２０に取り付けられることになる脚板３０と、この脚板３０に一端が取り付けられて折り畳まれる折り畳み材４０と、この折り畳み材４０の他端に連結されて、フロア板１０裏面またはこれに固定される脚台２０側に取り付けられることになる引出脚板５０とにより構成しているのである。
【００２０】
そして、本発明に係るプールフロア１００は、そのフロア板１０裏面またはこれに固定される脚台２０にスライド溝２５を形成し、このスライド溝２５に係合するスライド係合部５２を引出脚板５０に形成したものであり、これにより、引出脚板５０をフロア板１０裏面またはこれに固定される脚台２０に対して係脱及びスライド可能にしたものである。
【００２１】
つまり、当該脚２００をフロア板１０の裏面に直接取り付ける場合には、図１８の（イ）に示すように、スライド溝２５をフロア板１０の裏面に直接形成するか、図１８の（ロ）に示すように、フロア板１０の裏面に案内レール２５ｂを取り付けて、この案内レール２５ｂによって形成された溝をスライド溝２５とするのである。フロア板１０の裏面に脚台２０を固定して、これに各脚２００の引出脚板５０をスライド可能に連結する場合には、最良形態の図８及び図１１に示すように、この脚台２０にスライド溝２５を形成しておけばよい。
【００２２】
なお、本発明において採用している各脚２００は、図１３、図１４、または図１５に示すように、略箱型のものとなるように構成してあるが、そのために、このプールフロア１００における各脚２００は、上述したように、フロア板１０裏面またはこれに固定される脚台２０に取り付けられることになる脚板３０と、この脚板３０に一端が取り付けられて折り畳まれる折り畳み材４０と、この折り畳み材４０の他端に連結されて、フロア板１０裏面またはこれに固定される脚台２０側に取り付けられることになる引出脚板５０とにより構成しているのである。
【００２３】
各脚２００を略箱型に構成するにあたっては、最良形態となっている図１２〜図１４に示した第１の場合と、図１５に示した第２の場合との２通りが考えられる。第１の場合は、脚板３０、折り畳み材４０、及び引出脚板５０が側壁を形成して、内部に上下方向の空間が形成されるようにする場合であり、第２の場合は、図１５に示したように、脚板３０と引出脚板５０とによって側壁を構成し、図示上側に折り畳み材４０を配置することにより、横方向の空間が形成されるようにする場合である。なお、図１０〜図１５においては、図示上側がプール床面となるように示してあり、各脚２００は上下逆に表現してある。
【００２４】
各脚２００が、脚板３０、折り畳み材４０及び引出脚板５０によって略箱型になるように構成したことによって、まず、その展開や折り畳みが可能となっている。後述する最良形態に係る脚２００について、その展開操作について、図１０〜図１３を参照して説明すると、この脚２００を構成している脚板３０及び引出脚板５０は、その間に折り畳まれた２枚の折り畳み材４０を挟み込んだ状態で、フロア板１０の下面、またはこれに取付けた脚台２０に対して折り畳まれているから、これを図１１に示すように引き起こすのである。このとき、脚板３０はその連結円突起３２によって脚台２０側に回動自在に連結してあるから、脚板３０及び引出脚板５０はこれらの連結円突起３２を中心にして回動しながら起き上がるのである。なお、これらの図１０〜図１３においては、図示下側にフロア板１０の裏面、またはこれに取り付けられる脚台２０が位置していて、使用時の脚２００とは上下反対状態にして示してあることは前述した通りである。
【００２５】
そして、引出脚板５０が脚板３０とともに完全に起き上がれば、その手掛け開口５９が、図１１に示すように、露出することになるので、この手掛け開口５９を利用して当該引出脚板５０を前方に引き出すのである。このとき、引出脚板５０は、そのスライド係合部５２によってフロア板１０裏面またはこれに固定される脚台２０に係合しているので、安定した状態でフロア板裏１０または脚台２０に対してスライド移動することになり、両折り畳み材４０を展開させるのである。
【００２６】
完全に引き出された引出脚板５０は、その基板部５１を引出端において係合突起５１ａ等によってフロア板１０またはこれに取り付けた脚台２０側に固定すれば、脚２００は展開されることになるのである。
【００２７】
なお、これらの図１０〜図１３に示した脚２００は、図４中の点線及び図９に示した形状維持材６０を有しているものであり、この形状維持材６０を展開された脚板３０、折り畳み材４０及び引出脚板５０間内で、図１３に示すように引き上げることにより、その各辺に脚板３０、折り畳み材４０及び引出脚板５０の各内面が当接し、脚板３０、折り畳み材４０及び引出脚板５０による箱型形状を維持することになる。
【００２８】
勿論、この脚２００を折り畳むには、図１３、図１２、図１１及び図１０の順に、上記説明とは逆の操作を行えばよいことは言うまでもない。
【００２９】
以上のいずれの例の場合も、例えば引出脚板５０を引き起して引き出し、そしてこれをフロア板１０またはその裏面の脚台２０側に固定するという作業によって展開されるのであり、逆の作業を行えば折り畳みがなされるのであって、これら一連の操作を片手だけで行え、非常に簡単になっているのである。
【００３０】
また、展開された各脚２００についてみてみると、プールの床面上に当接する部分となるのは、図１０〜図１３、及び図１４に示した第１の例の場合には、脚板３０と引出脚板５０との各床当接部３４・５４であり、これら床当接部３４及び５４は互いに平行な２本の線（あるいは帯）であるから、各脚２００が安定した状態でプール床面上に接地することになるのである。図１５に示した第２の例では、略水平に展開された１枚の折り畳み材４０がその全面でプール床面上に接地するから、これまた、各脚２００を安定した状態でプール床面上に接地させることができるものとなっているのである。
【００３１】
さらに、プール床面上に接地する部分は、上記いずれの場合であっても、各部材を折り畳みあるいは回動自在に連結している部分そのものではないため、当該プールフロア１００上で人が動いたとしても、その衝撃によって連結部分が破損することもない。
【００３２】
そして、当該プールフロア１００は、その各脚２００が略「箱」形状のものになっていて、その一部が開口したり、構成部材の一部に穴開けが容易になっているから、当該プールフロア１００をプール内に沈めるときに、開口や穴からの水の浸入を短時間内で行うことができ、また当該プールフロア１００をプール内から引き上げるときの水切りも良好になっていて、そのプール内への設置や片づけが短時間内に行えるものとなっているのである。
【００３３】
従って、この請求項１に係るプールフロア１００は、その脚２００について、各脚２００の展開や折り畳みを簡単に行うことができて、使用時にはプール床面上に置いただけでも位置ズレしないようにしっかりと支持することができ、さらに沈めるときの水の浸入とプールから取り出すときの水切りを短時間で行えるプールフロアを簡単な構成によって提供することができるものとなっているのである。
【００３４】
上記課題を解決するために、請求項２に係る発明の採った手段は、上記請求項１に係るプールフロア１００の脚２００について、
「脚板３０を、フロア板１０裏面またはこれに固定される脚台２０に回動可能に軸支したこと」
である。
【００３５】
すなわち、この請求項２のプールフロア１００は、各脚２００を構成している脚板３０をフロア板１０または脚台２０に対して回動自在に連結したものであり、これにより、上記請求項１のそれと同様な機能を発揮する他、各脚２００の展開及び折り畳みをより簡単に行え、しかも、各脚２００の紛失をも防止することができるのである。
【００３６】
上記課題を解決するために、請求項３に係る発明の採った手段は、上記請求項１また請求項２に係るプールフロア１００の脚２００について、
「折り畳み材４０を一枚とし、その両端部を脚板３０及び引出脚板５０の先端に回動自在に連結したこと」
である。
【００３７】
すなわち、この請求項３のプールフロア１００は、その脚２００について、上述した図１５に示したもののように規定したものであり、これにより、上記請求項１または請求項２のそれと同様な機能を発揮する他、各脚２００の展開や折り畳みをより一層簡単にし得るものなのである。
【００３８】
上記課題を解決するために、請求項４に係る発明の採った手段は、上記請求項１または請求項２に係るプールフロア１００について、
「折り畳み材４０を二枚とし、その各両端部を脚板３０及び引出脚板５０の側部に回動自在に連結して、脚板３０または引出脚板５０の先端がプール内の床面に当接するようにしたこと」
である。
【００３９】
すなわち、この請求項４に係るプールフロア１００は、その脚２００について、上述した図１０〜図１４に示したもののように規定したものであり、これにより、上記請求項１または請求項２のそれと同様な機能を発揮する他、各脚２００の展開や折り畳みをより一層簡単にし得るものなのである。
【００４０】
そして、上記課題を解決するために、請求項５に係る発明の採った手段は、上記請求項１〜４のいずれかに係るプールフロア１００について、
「脚板３０または引出脚板５０の先端側に略四角形状の形状維持材６０を回動自在に設け、各脚２００が箱型に展開されたとき、形状維持材６０を回動させて、その各辺に脚板３０、展開された折り畳み材４０、及び引出脚板５０の内面を当接させることにより、脚２００の展開時における箱型形状を維持し得るようにした」
ものである。
【００４１】
すなわち、このプールフロア１００は、その展開状態における各脚２００について、その展開状態を維持するための形状維持材６０を付加したものである。
【００４２】
この形状維持材６０は、例えば図９に示すような板状のものとしたり、枠状や格子状のものにしたものであり、図９の（イ）の図示上端側に形成してある取付溝６３によって、例えば図４中の点線にて示すように、脚板３０または引出脚板５０の内面側に着脱自在でかつ回動自在に取り付けられるものである。そして、この形状維持材６０は、図１３に示すように、脚板３０、折り畳み材４０及び引出脚板５０によって形成された「箱」内で自由端（図９では係合ピン６２が設けてある側）を引き上げてこれを引出脚板５０または脚板３０側に係止することにより、各辺が脚板３０、折り畳み材４０、及び引出脚板５０の内面に当接することになるものである。
【００４３】
形状維持材６０が、例えば図１３に示したように状態となれば、脚板３０、折り畳み材４０、及び引出脚板５０はこの形状維持材６０によって内側への移動が規制されるから、各脚２００は、その展開状態が維持されることになるのである。
【００４４】
図１５に例した例について当該形状維持材６０を使用しようとすれば、この形状維持材６０の上下方向となる一辺を、図１５の（イ）中に仮想線にて示したように、脚板３０または引出脚板５０の側端に回動自在に連結しておけばよい。
【００４５】
従って、この請求項５に係るプールフロア１００は、その各脚２００が形状維持材６０を有したものとしたことによって、上記請求項１〜４のそれと同様な機能を発揮する他、各脚２００の展開時における形状維持を形状維持材６０によって確実に行え、各脚２００を剛性の高いものとすることができるのである。
【発明の効果】
【００４６】
以上、詳述した通り、本発明においては、上述したように、
「フロア板１０と、これを支える複数の脚２００とからなり、プール内に沈められたとき、このプール内にフロア板１０による水深の浅い部分を形成するためのプールフロア１００であって、
各脚２００を、フロア板１０裏面またはこれに固定される脚台２０に取り付けられることになる脚板３０と、この脚板３０に一端が取り付けられて折り畳まれる折り畳み材４０と、この折り畳み材４０の他端に連結されて、フロア板１０裏面またはこれに固定される脚台２０側に取り付けられることになる引出脚板５０とにより構成するとともに、
フロア板１０裏面またはこれに固定される脚台２０にスライド溝２５を形成し、このスライド溝２５に係合するスライド係合部５２を引出脚板５０に一体に形成して、
引出脚板５０がフロア板１０裏面またはこれに固定される脚台２０に対してスライドしながら開閉すること」
に、その構成上の主たる特徴があり、これにより、各脚２００の展開や折り畳みを簡単に行うことができて、使用時にはプール床面上に置いただけでも位置ズレしないようにしっかりと支持することができ、さらに沈めるときの水の浸入とプールから取り出すときの水切りを短時間で行えるプールフロアを簡単な構成によって提供することができたのである。
【００４７】
換言すれば、本発明に係るプールフロア１００によれば、
（１）各脚２００の折り畳みや展開操作が簡単に行え、プール内への設置や不使用時の収納・積み重ねが円滑に行える。
【００４８】
（２）各脚２００が使用時にしっかりとプール床面上に着いた状態となるため、当該プールフロア１００はプール内では簡単に位置ズレしない。
【００４９】
（３）各脚２００が略「箱」形状のものになっていて、その一部が開口したり、構成部材の一部に穴開けが容易になっているから、当該プールフロア１００をプール内に沈めるときに、開口や穴からの水の浸入を短時間内で行うことができ、また当該プールフロア１００をプール内から引き上げるときの水切りも良好になっていて、プールフロア１００の設置や片づけが短時間内に行える。
といった効果を発揮することができるのである。
【発明を実施するための最良の形態】
【００５０】
次に、上記のように構成した各発明を、図面に示した最良形態であるプールフロア１００について説明すると、図１には、本発明に係るプールフロア１００の全体斜視図が示してあり、このプールフロア１００は、１枚のフロア板１０を、図２及び図３にも示したように、合計６脚の脚２００によって支持するようにしたものである。これらのフロア板１０及び脚２００は、それぞれプラスチック材料によって成形したものであり、プールフロア１００全体としてプール内に沈めることのできる重量を有したものとなっている。
【００５１】
フロア板１０そのものは、一枚板であってもよいが、本最良形態のものでは複数の合成樹脂製パネルを組み合わせて形成したものであり、その上面にて、当該プールフロア１００を沈めたプール内部分の水深を浅くするものである。
【００５２】
すなわち、本発明に係るプールフロア１００は、図１〜図３に示したように、平らなフロア板１０の下面に合計６脚の脚２００を設けるという基本構成を有したものであり、各脚２００は、図４に示したように、フロア板１０裏面またはこれに固定した脚台２０に取り付けられる脚板３０と、この脚板３０に一端が取り付けられて折り畳まれる折り畳み材４０と、この折り畳み材４０の他端に連結されて、フロア板１０または脚台２０側に取り付けられることになる引出脚板５０とにより構成したものである。
【００５３】
そして、本発明に係るプールフロア１００は、そのフロア板１０裏面またはこれに固定される脚台２０にスライド溝２５を形成し、このスライド溝２５に係合するスライド係合部５２を引出脚板５０に形成したものであり、これにより、引出脚板５０をフロア板１０裏面またはこれに固定される脚台２０に対して係脱及びスライド可能にしたものである。
【００５４】
当該脚２００をフロア板１０の裏面に直接取り付ける場合には、図１８の（イ）に示したように、スライド溝２５をフロア板１０の裏面に直接形成するか、図１８の（ロ）に示したように、フロア板１０の裏面に案内レール２５ｂを取り付けて、この案内レール２５ｂによって形成された溝をスライド溝２５とするのである。フロア板１０の裏面に脚台２０を固定して、これに各脚２００の引出脚板５０をスライド可能に連結する場合には、図８及び図１１に示したように、この脚台２０にスライド溝２５を形成しておけばよい。
【００５５】
本最良形態の各脚２００は、フロア板１０の裏面に取付けられる脚台２０と、この脚台２０に組み付けられる、脚板３０、折り畳み材４０、引出脚板５０及び形状維持材６０を備えたものであり、図２及び図３に示したように、それぞれ展開されるものであることは勿論、図１６及び図１７に示したように、それぞれ折り畳まれて、当該プールフロア１００全体の大きさを縮小できるようにするものである。
【００５６】
なお、各脚２００は、フロア板１０の裏面に直接取り付けるようにして、脚台２０を省略するように実施してもよい。
【００５７】
本最良形態のプールフロア１００は、図１〜図３に示したように、展開された各脚２００の外側面を囲むようにして潜り防止板７０を設けたものとしてある。この潜り防止板７０は、各脚２００間の隙間からフロア板１０の下側に人が潜り込むのを防止するものであり、種々な方法で取付けられるものである。
【００５８】
本最良形態では、図２の（イ）及び図１７に示したように、プールフロア１００の長辺側については、後述する脚台２０側にアーム取付部２７を形成しておいて、このアーム取付部２７に取付アーム７１を連結し、さらに、この取付アーム７１に上述した潜り防止板７０を取付けたものである。この取付アーム７１をフロア板１０に対して引き起こせば（実際は潜り防止板７０そのものを引き起こすことになる）、図２の（イ）に示したように、各脚２００間の隙間が潜り防止板７０によって遮断されるされるのであり、倒せば、図１６の（イ）に示したように折り畳まれることになるものである。
【００５９】
プールフロア１００の短辺側に設けられる潜り防止板７０は、図２の（ロ）及び図４中の仮想線にて示したように、例えば後述する脚板３０の外側面にリベット等で固着されるものである。このように、脚板３０の外側面に固着しておけば脚板３０の動きと同じになるのであり、潜り防止板７０を引き起こすことにより、左右に並んだ２つの脚２００の引き起しを同時に行うことができて、各脚２００の展開作業を片手でも行えるようにすることができることになる。各脚２００を折り畳む場合についても同様である。勿論、この潜り防止板７０は、脚板３０に形成した潜り防止板挿入穴３８や、引出脚板５０に形成した潜り防止板挿入穴５８、あるいは折り畳み板４０に形成した挿入穴に挿入して固定するように実施してもよいものである。
【００６０】
さて、各脚２００であるが、この脚２００は、図４にも示したように、フロア板１０裏面またはこれに固定される脚台２０に取り付けられることになる脚板３０と、この脚板３０に一端が取り付けられて折り畳まれる折り畳み材４０と、この折り畳み材４０の他端に連結されて、フロア板１０裏面またはこれに固定される脚台２０側に取り付けられることになる引出脚板５０とにより構成してあり、フロア板１０の裏面に直接、またはこのフロア板１０の裏面に固着した脚台２０に取付けられるものである。
【００６１】
脚台２０は、図８に示したように、フロア板１０の裏面と平行になる台板２１と、この台板２１の両側端部にそれぞれ立設した軸支台２２及び取付台２３と、これらの軸支台２２及び取付台２３間に一体化した複数の脚板支え２４とを備えたものである。本最良形態の台板２１は、図８の（イ）に示したように、その中央の横方向に延在するスライド溝２５を有したものであり、このスライド溝２５に対しては、後述する引出脚板５０に設けたスライド係合部５２が係合されるものである。このスライド係合部５２は、図８の（イ）の下面側に位置してスライド溝２５に沿って移動することになるのであるから、台板２１の裏面は、縦リブを形成することによりフロア板１０面から少し浮き上がる状態になされており、これにより、フロア板１０に対する引出脚板５０の接触を少なくしてスライドを円滑に行えるようにしているだけでなく、当該脚台２０自体の強度確保も行っている。
【００６２】
勿論、当該脚２００をフロア板１０の裏面に取り付ける場合には、このスライド溝２５は、フロア板１０の裏面に直接形成するか、フロア板１０の裏面に案内レール２５ｂを取り付けて、この案内レール２５ｂによって形成する必要がある。
【００６３】
この台板２１の、図８の（イ）の左方側上下にそれぞれ一体成形した各軸支台２２は、後述する脚板３０の基板部３１に設けた連結円突起３２を軸支するものであり、脚板３０を回動自在に連結するための枢着穴２２ａを、図４等に示したように有したものである。一方、図８の（イ）の右方側上下にそれぞれ設けた各取付台２３は、図４等に示したように、後述する引出脚板５０の係合突起５１ａが係合されることになる取付穴２３ａを有したものであり、展開された引出脚板５０の固定を行うものである。なお、本最良形態においては、両軸支台２２及び取付台２３の間は、図４にも示したように、側板２１ａによって連結してあり、この側板２１ａの内側に、展開された各折り畳み材４０に設けてある突出部４４を当接させることにより、各折り畳み材４０の外側への突出を防止するようにしている。
【００６４】
また、各軸支台２２間及び各取付台２３間には、図８の（イ）に示したように、脚板支え２４がそれぞれ形成してあり、これら各脚板支え２４の表面側には、図８の（ニ）に示したように、脚板３０側の基板部３１、及び引出脚板５０側の基板部５１の円柱状表面を円滑に案内するための案内面２４ａが形成してある。つまり、脚板３０側となる案内面２４ａは、回動される基板部３１をできるだけ全面で常に受けるようにするものであり、引出脚板５０側となる案内面２４ａは、引き出されてきた引出脚板５０の基板部５１の位置決めを行うものである。このため、脚板３０に対する力の分散になり、連結部３６等に大きな力が加わらないことになる。
【００６５】
さて、この脚台２０の台板２１には、図８の（イ）に示したように、スライド溝２５が形成してあった。このスライド溝２５の図示左端側は係止部挿入開口２５ａとしてあり、脚板３０とともに立ち上げられた引出脚板５０に形成してあった、図７に示したスライド係合部５２が、この係止部挿入開口２５ａ内から台板２１の下方に入り込んで、スライド溝２５とスライド係合部５２との裏面での係合が円滑になされるようになっている。
【００６６】
各脚２００を構成するための第１の部材である脚板３０は、図５の（イ）に示したように、フロア板１０の裏面、またはこれに固定される前述した脚台２０の両軸支台２２間に回動可能に取付られる基板部３１と、この基板部３１と一体に形成されて「箱」の一面となる側板部３３と、この側板部３３の図示下端に一体化されて、プールの床面上に当接することになる床当接部３４とを主として有しているものである。この脚板３０は、その基板部３１の両端に成形してある連結円突起３２によって、フロア板１０側または両軸支台２２の各枢着穴２２ａに枢着されるのであるが、一方の連結円突起３２は、一体成形ではなく挿入タイプのものにしておくことにより、脚板３０の両軸支台２２間での枢着を容易に行うことができる。
【００６７】
この脚板３０の側板部３３は、図５の（イ）に示したように、その内側面に多数のリブを一体成形することにより剛性を高めたものであり、その外側面は、図５の（ロ）に示したように、滑らかなものとしてこれに接触した人の足等に違和感を与えないようにしてある。また、この側板部３３の内側には、後述する折り畳み材４０が収納されることもあるので、図５の（ハ）に示したように、その内側には折り畳み材収納部３５が形成してある。
【００６８】
この脚板３０に対しては折り畳み材４０が取付けられることになるものであるから、図５の（イ）に示したように、その側板部３３の両側に連結部３６が形成してある。なお、本最良形態の脚２００は形状維持材６０を有するものであるため、この形状維持材６０を回動自在に連結するための形状維持材取付部３７が、図５の（イ）に示したように、床当接部３４の直上両側に形成してある。この形状維持材取付部３７は、側板部３３に平行に突出したものとして形成されるものである。
【００６９】
本発明に係るプールフロア１００の短辺側に配置される脚２００については、前述したように、その各脚板３０の表面に潜り防止板７０が取付けられることもあるが（図４中の仮想線参照）、この潜り防止板７０は当該脚板３０や後述の引出脚板５０に差し込んで取付けることもある。そのために、この脚板３０の略中央には、図５の（イ）及び（ロ）に示したように、潜り防止板挿入穴３８が形成してあって、この潜り防止板挿入穴３８内に潜り防止板７０を通して支持できるようにしてある。
【００７０】
以上のように構成した脚板３０に対しては、図４にも示したように、折り畳み材４０を介して引出脚板５０が対向することになるのであるが、この引出脚板５０は、上記の脚板３０と略対称なものとして形成してある。すなわち、この引出脚板５０は、第７図に示したように、脚台２０側の両取付台２３間での取付けがなされる基板部５１と、この基板部５１と一体的で「箱」のもう一面を形成することになる側板部５３と、この側板部５３の図示下端に一体形成した床当接部５４とから主として構成したものである。
【００７１】
また、この引出脚板５０は、前述した脚板３０と同様に、側板部５３の両側に折り畳み材４０を取付けるための連結部５６が形成してあり、床当接部５４の直上両側には、回動されてきた形状維持材６０の係合ピン６２を係止するための形状維持材取付部５７が形成してある。そして、側板部５３の中央には潜り防止板挿入穴５８が形成してあり、この潜り防止板挿入穴５８の図示直上には、当該引出脚板５０を引き出すとき等に手を掛けるための手掛け開口５９が形成してある。勿論、この側板部５３の内側は、折り畳まれた折り畳み材４０を収納するための折り畳み材収納部５５としてある。
【００７２】
なお、本最良形態の脚２００は形状維持材６０を有するものであるため、この形状維持材６０の取付溝６３を脱着自在に連結するための形状維持材取付部５７が、図７の（イ）に示したように、床当接部５４の直上両側に形成してある。この形状維持材取付部５７は、側板部５３に平行に突出したものとして形成されるものであるが、そのように型で形成するために、図７の（ロ）に示したように、型抜きのためのピン形成穴５７ａが形成してある。
【００７３】
この引出脚板５０の、展開時における脚台２０側への固定は、基板部５１の両端に突出形成した係合突起５１ａによってなされる。この係合突起５１ａは、脚台２０側の両取付台２３に形成してある取付穴２３ａ内に、当該引出脚板５０の可撓性を利用して強制嵌合され、あるいは強制取外しがなされるものであり、展開時の引出脚板５０の固定を、脚台２０側の前述した脚板支え２４と、後述するスライド係合部５２との共動によって行うものである。
【００７４】
本最良形態での引出脚板５０で最も重要な部分は、図７の（イ）〜（ホ）に示したように、側板部５３の上端に突出形成してあるスライド係合部５２である。このスライド係合部５２は、前述した脚台２０またはフロア板１０に形成してあるスライド溝２５に係合して、当該引出脚板５０の脚台２０に対するスライド移動を安定的に行えるようにするためのものであり、展開時の引出脚板５０の脚台２０に対する固定を行うものである。
【００７５】
このスライド係合部５２の最も簡単な形態は、図７に図示したように、脚台２０の台板２１の厚さと略同じ長さを有する頸部と、この頸部の先端に形成されてスライド溝２５の幅より大きい板部とにより構成することである。勿論、板部に代えてスライド溝２５の幅方向に突出するピンを使用して実施してもよい。いずれにしても、このスライド係合部５２は、引出脚板５０の基板部５１を、フロア板１０または脚台２０の台板２１に形成してあるスライド溝２５に係合することにより、引出脚板５０が脚台２０に対してスライド移動できるのであれば、どのような形態であってもよい。
【００７６】
以上の「スライド係合」の他の形態としては、脚台２０の側板にスライド溝を形成し、引出脚板５０の基板部５１の両端に突起を形成しておいて、この突起を上記スライド溝に挿入してスライド可能にすることが考えられる。この場合には、突起を上記スライド溝に係合させてスライドさせるから、引出脚板５０の脚台２０に対するスライドが引っ掛かりを発生することなく円滑に行われ、スライド溝の両端をストッパとすることもできるのである。
【００７７】
なお、以上の引出脚板５０及び脚板３０は、折り畳み材４０とともに「箱」を形成するものであり、プール内にフロア板１０とともに沈められるものであるから、その「箱」内に水が早く侵入するようにしなければならない。そのために、本最良形態の脚板３０及び引出脚板５０にあたっては、その各側板部３３・５３に細かい穴を形成するようにして、この穴により「箱」からの空気や水の出入が円滑に行われるようにしてある。
【００７８】
以上の脚板３０及び引出脚板５０間に連結される折り畳み材４０は、図６に示してあるが、この折り畳み材４０は、二枚使用されるものである。各折り畳み材４０は、中央のヒンジ部４３または軸ピンによって二つ折りされる基板４１からなるもので、各基板４１の端部には、脚板３０側の連結部３６または引出脚板５０側の連結部５６にそれぞれ連結されることになる取付部４２が形成してある。この最良形態に係る折り畳み材４０は、図４にも示したように、互いに対向することになる脚板３０及び引出脚板５０の各側端部に取付けられるものであり、例えば図１２に示したように二つ折りされて、脚板３０及び引出脚板５０の各折り畳み材収納部３５・５５内に収納されるものである。
【００７９】
勿論、この折り畳み材４０は、図１５に示した例のようにして使用されるものである場合には、１枚だけ用意して各脚板３０及び引出脚板５０の床当接部３４・５４側に連結されることになるものであり、二つ折りに限らず、三つ折りでも四つ折りでも構わないものである。
【００８０】
また、この折り畳み材４０は、折り畳むことができて「箱」形状を形成維持できるのであれば、上記の板状のものに限らず、枠状、棒状等、どのような形状であってもよいものである。
【００８１】
この折り畳み材４０は二つ折りされるものであって、引出脚板５０の引き出しによって、図４及び図５に示したように展開されて「箱」の二面を形成するものであるが、例えば折り畳むときに、そのヒンジ部４３が外側に折れて突出しては脚板３０及び引出脚板５０の各折り畳み材収納部３５・５５内に収納することができなくなる。そのようなことを防止するために、本最良形態の折り畳み材４０では、その各基板４１の一部に、図６の図示上方に突出することになる突出部４４が一体に形成してある。この突出部４４は、図４に示したように、脚台２０の両軸支台２２及び取付台２３間に形成した側板２１ａに内側から当接することになるものであり、これにより、当該折り畳み材４０が外側に突出する状態で折り畳まれることがないようにしてある。
【００８２】
本最良形態においては、上述した、脚板３０、折り畳み材４０、及び引出脚板５０について、その脚台２０側に連結される辺、例えば基板部３１・５１の横方向の長さに対して、これに対向する辺、例えば床当接部３４・５４の長さを短く構成して、各脚２００全体の展開時の形状が、図１及び図２に示したように、下しぼまり状となるようにしてある。
【００８３】
これは、各脚２００がプールの床面上に当接する際に、できるだけ小さい四角形で当接するようにして、プール床面の凹凸をできるだけ避けるようにするためである。つまり、各脚２００が余り大きな四角形でプール床面に当接すると、各脚２００において当接箇所に不均衡が生ずる可能性が高くなり、当該プールフロア１００がプール床面上でガタつくことになるから、これを避けるためである。
【００８４】
図９には、本最良形態の脚２００で採用している形状維持材６０が示してある。この形状維持材６０は、前述した下しぼまりの「箱」の下端内に収納できる外形形状を有した外形枠６１と、この外形枠６１の図示下端側に突出する係合ピン６２と、外形枠６１の図示上端に形成した取付溝６３とを備えている。この形状維持材６０の外形枠６１は、これを、脚板３０、折り畳み材４０及び引出脚板５０によって形成した箱内にて引き上げることができるようにしなければならないため、中央に握り桟を有したものとしてある。
【００８５】
また、この形状維持材６０は、例えば脚板３０に対して、図４中の点線にて示したように連結しなければならないため、外形枠６１の図示上端に図９の（ロ）に示したような取付溝６３が形成してある。この取付溝６３は、図５の（イ）に示した脚板３０側の形状維持材取付部３７に係合して、当該形状維持材６０の脚板３０に対する回動可能な連結を行うものである。これに対して、係合ピン６２は、形状維持材６０の引き上げ位置での固定を行うものであるが、本最良形態では、図９の（イ）に示したように、押出スプリング６４によって先端が外形枠６１の外方に突出するようにしてあり、この先端が引出脚板５０側の形状維持材取付部５７に係合することにより、形状維持材６０の基板部５１（または基板部３１）に対する位置決め固定を行う。
【００８６】
勿論、この形状維持材６０は、脚板３０、折り畳み材４０及び引出脚板５０とは別体にしてあり、その係合ピン６２によって脚板３０等に対して着脱自在に取り付けることができるものであり、本最良形態におけるような板状のもに限らず、枠状のもの、あるいは格子状のものであってもよく、要するに脚板３０等の内面に当接する部分あるいは辺を有していて、脚板３０等を内側から支える剛性を有していれば、どのような形状のものであってもよいものである。
【００８７】
以上のように構成した形状維持材６０が「箱」内で引き上げられて固定されれば、当該脚２００とは図１３に示したような状態となり、脚板３０、折り畳み材４０、及び引出脚板５０の各先端内側は形状維持材６０の外形枠６１の各辺にて支持されることになるのである。このように各脚２００がなれば、脚板３０、折り畳み材４０及び引出脚板５０によって形成された「箱」が崩れるようなことはない。
【００８８】
なお、この最良形態の形状維持材６０においては、外形枠６１の対向する辺に係合ピン６２と取付溝６３を設けるようにしているが、係合ピン６２ではなく取付溝６３を採用して、両側に取付溝６３を設けるように実施してもよく、その逆でもよい。
【図面の簡単な説明】
【００８９】
【図１】本発明に係るプールフロアの展開時における斜視図である。
【図２】同プールフロアを示すもので、（イ）は長辺側からみた正面図、（ロ）は短辺側からみた側面図である。
【図３】同プールフロアの展開時の底面図である。
【図４】同プールフロアにおいて採用している脚の、フロア板を図示下側としたときの拡大正面図である。
【図５】同脚を構成している脚板を示すもので、（イ）は背面図、（ロ）は正面図、（ハ）は側面図、（ニ）は平面図、（ホ）は（イ）中の１−１線に沿ってみた断面図である。
【図６】同脚を構成している折り畳み材を示す拡大正面図である。
【図７】同脚を構成している引出脚板を示すもので、（イ）は背面図、（ロ）は正面図、（ハ）は側面図、（ニ）は平面図、（ホ）は（イ）中の１−１線に沿ってみた断面図である。
【図８】同脚を構成している脚台を示すもので、（イ）は平面図、（ロ）は正面図、（ハ）は側面図、（ニ）は（イ）中の２−２線に沿ってみた断面図である。
【図９】形状維持材を示すもので、（イ）はその平面図、（ロ）は（イ）中の３−３線に沿ってみた断面図である。
【図１０】本発明のプールフロアにおいて使用している脚の折り畳み状態を示す斜視図である。
【図１１】同脚の、脚板及び引出脚板を引き起したときの斜視図である。
【図１２】同脚の引出脚板を引き出したときの斜視図である。
【図１３】同脚の、引出脚板を完全に引き出して固定し、形状維持材を引き上げたときの斜視図である。
【図１４】本発明の他の形態で示すもので、引き出した引出脚板を脚台側に固定した時の正面図である。
【図１５】本発明のさらに他の形態で示すもので、引き出した引出脚板を脚台側に固定した時の正面図である。
【図１６】各脚を折り畳んだときのプールフロアを示すもので、（イ）は長辺側からみた正面図、（ロ）は短辺側からみた側面図である。
【図１７】同プールフロアの底面図である。
【図１８】フロア板の裏面にスライド溝を形成した状態を示すもので、（イ）はスライド溝を直接形成した場合の斜視図、（ロ）は案内レールを使用してスライド溝を形成した場合の斜視図である。
【図１９】従来の技術を示す脚の斜視図である。
【符号の説明】
【００９０】
１００      プールフロア
２００      脚
１０        フロア板
２０        脚台
２１        台板
２１ａ      側板
２２        軸支台
２２ａ      枢着穴
２３        挿入部
２３ａ      取付穴
２４        脚板支え
２４ａ      案内面
２５        スライド溝
２５ａ      係止部挿入開口
２５ｂ      案内レール
２６        挿入部
２７        アーム取付部
３０        脚板
３１        基板部
３２        連結円突起
３３        側板部
３４        床当接部
３５        折り畳み材収納部
３６        連結部
３７        形状維持材取付部
３８        潜り防止板挿入穴
４０        折り畳み材
４１        基板
４２        取付部
４３        ヒンジ部
４４        突出部
５０        引出脚板
５１        基板部
５１ａ      係合突起
５２        スライド係合部
５３        側板部
５３ａ      挿入ピン
５４        床当接部
５５        折り畳み材収納部
５６        連結部
５７        形状維持材取付部
５７ａ      ピン形成穴
５８        潜り防止板挿入穴
５９        手掛け開口
６０        形状維持材
６１        外形枠
６２        係合ピン
６３        取付溝
６４        押出スプリング
７０        潜り防止板
７１        取付アーム
【要約】
【課題】各脚の展開や折り畳みを簡単に行うことができて、使用時にはプール床面上に置いただけでも位置ズレしないようにしっかりと支持することができ、さらに沈めるときの水の浸入とプールから取り出すときの水切りを短時間で行えるプールフロアを簡単な構成によって提供すること。
【解決手段】各脚２００を、フロア板裏面または脚台２０に取り付けられる脚板３０と、この脚板３０に一端が取り付けられて折り畳まれる折り畳み材４０と、この折り畳み材４０の他端に連結される引出脚板５０とにより構成するとともに、フロア板裏面または脚台２０にスライド溝を形成し、このスライド溝に係合するスライド係合部を引出脚板５０に一体に形成したこと。
【選択図】図４
【図１】
0003559863.tif 000002
【図２】
0003559863.tif 000003
【図３】
0003559863.tif 000004
【図４】
0003559863.tif 000005
【図５】
0003559863.tif 000006
【図６】
0003559863.tif 000007
【図７】
0003559863.tif 000008
【図８】
0003559863.tif 000009
【図９】
0003559863.tif 000010
【図１０】
0003559863.tif 000011
【図１１】
0003559863.tif 000012
【図１２】
0003559863.tif 000013
【図１３】
0003559863.tif 000014
【図１４】
0003559863.tif 000015
【図１５】
0003559863.tif 000016
【図１６】
0003559863.tif 000017
【図１７】
0003559863.tif 000018
【図１８】
0003559863.tif 000019
【図１９】
0003559863.tif 000020